(57)【特許請求の範囲】
【請求項１】
商品陳列棚における下面に照明灯を取り付けた棚板における照明灯の直上部分にスリットを設けるとともに、該スリットに、前記照明灯から上方に照射された光を棚板上の後方に偏向させる偏向手段を、その前後部に設けた凹入段部をスリットの前後縁に係合させるようにして、上方より嵌合したことを特徴とする商品陳列棚における棚板照明装置。
【請求項２】
棚板を、鋼板を折り曲げて形成し、該鋼板の上面に穿設した横長のスリットに、偏向手段を嵌合した請求項１記載の商品陳列棚における棚板照明装置。
【請求項３】
偏向手段を、一角部が真上を向く断面正方形の横長のプリズムにおける前後の角部の下部に凹入段部を形成し、かつ下端の角部をほぼ水平に切断した請求項１または２記載の商品陳列棚における棚板照明装置。
【請求項４】
偏向手段である横長のプリズムの上下方向の中間部の前後に、を対向する２つの稜線が水平になる姿勢に配置したものとし、その前後部にスリットの前後の縁に嵌合しうる嵌合溝を設けた請求項１または２記載の商品陳列棚における棚板照明装置。
【請求項５】
偏向手段であるプリズムの下部を非平面状に切断した請求項１〜４のいずれかに記載の商品陳列棚における棚板照明装置。
【請求項６】
プリズムの上面前部を減光材で覆った請求項３〜５のいずれかに記載の商品陳列棚における棚板照明装置。
【請求項７】
横長の偏向手段における左右の側端の少なくとも一方の下部に、外向きの突出部を形成し、該突出部が棚板におけるスリットの側端の下に係止されるようにした請求項１〜６のいずれかに記載の商品陳列棚における棚板照明装置。
【発明の詳細な説明】
【０００１】
【発明の属する技術分野】
本発明は、商品陳列棚の棚板上の商品を効果的に演出しうるようにした商品陳列棚における棚板照明装置に関する。
【０００２】
【従来の技術】
商品陳列棚において、上下方向に並べて設けた各棚板上に化粧品等の商品を陳列する場合、各棚板の下面に照明灯を取り付けて、下方の棚板上の商品を照らすことにより、棚板上の商品を効果的に演出して、顧客の購買意欲を増進させようとすることは、従来より行われている。
【０００３】
また、特開２００１ー２３８７７４号公報には、木製の棚板の下面の前部に、下方を照らす照明灯を取り付け、この棚板における照明灯の直上部分にスリットを設けるとともに、このスリットにプリズムを重ねて配置し、照明灯から上方に照射された光を棚板上の後方へ偏向させることにより、棚板上の商品を下方からも照らす照明装置が記載されている。
【０００４】
【発明が解決しようとする課題】
前者の照明装置では、上方の照明灯のみによって商品を照らすので、大きな演出効果は得られない。
後者の照明装置は、前者の装置に比べて商品の演出効果を高めるが、板圧が大きい木製の棚板には好適であるものの、板厚が薄いスチール製の薄い棚板には、プリズムの支持が不安定となり、適用しにくいという問題がある。
【０００５】
本発明は、上述の問題点に鑑み、棚板の下面前部に取り付けた照明灯によって、棚板上の商品を前下方から照らすことにより、演出効果を高めることができ、しかも、スチール製等の板厚の薄い板材製の棚板においても、偏向手段を安定して支持しうるようにした、商品陳列装置における棚板照明装置を提供することを目的としている。
【０００６】
【課題を解決するための手段】
本発明によると、上記課題は、次のようにして解決される。
（１）商品陳列棚における下面に照明灯を取り付けた棚板における照明灯の直上部分にスリットを設けるとともに、該スリットに、前記照明灯から上方に照射された光を棚板上の後方に偏向させる偏向手段を、その前後部に設けた凹入段部をスリットの前後縁に係合させるようにして、上方より嵌合する。
【０００７】
（２）上記(１)項において、棚板を、鋼板を折り曲げて形成し、該鋼板の上面に穿設した横長のスリットに、偏向手段を嵌合する。
【０００８】
（３）上記(１)または(２)項において、偏向手段を、一角部が真上を向く断面正方形の横長のプリズムにおける前後の角部の下部に凹入段部を形成し、かつ下端の角部をほぼ水平に切断する。
【０００９】
（４）上記(１)または(２)項において、偏向手段である横長のプリズムの上下方向の中間部の前後に、を対向する２つの稜線が水平になる姿勢に配置したものとし、その前後部にスリットの前後の縁に嵌合しうる嵌合溝を設ける。
【００１０】
（５）上記(１)〜(４)項のいずれかにおいて、偏向手段であるプリズムの下部を非平面状に切断する。
【００１１】
（６）上記(３)〜(５)項のいずれかにおいて、プリズムの上面前部を減光材で覆う。
【００１２】
（７）上記(１)〜(６)項のいずれかにおいて、横長の偏向手段における左右の側端の少なくとも一方の下部に、外向きの突出部を形成し、該突出部が棚板におけるスリットの側端の下に係止されるようにする。
【００１３】
【発明の実施の形態】
以下、本発明の第１の実施形態を備える商品陳列棚(１)について、図１〜図４を参照しながら説明する。なお、以下の説明では、図１の左下側を「前」、右下側を「後」とする。
【００１４】
商品陳列棚(１)は、本体(２)の前面に、上下方向に並ぶ多数の棚板(３)(４)(５)を、左右に並べて設けてなり、左端の棚板(３)はスチール製、他の棚板(４)(５)はガラス製である。
【００１５】
左端部のスチール製の棚板(３)は、化粧品等の商品(Ａ)を陳列するものであり、商品陳列棚(１)の支柱または、背面板(６)に後端部が係止された、左右１対の前後方向を向くブラケット(７)上に架設されている。
【００１６】
図２及び図３から明らかなように、左端の棚板(３)は、その四辺を下方に折り曲げて、上面(5a)が水平面となるようにし、かつ、下面に、鋼板を折り曲げて形成した補強材(８)を、溶接により固着したものよりなっている。
【００１７】
上下に並ぶ各棚板(３)の前端部には、棚板(３)の左右幅より若干短い左右方向を向くスリット(９)が穿設されている。
スリット(９)には、偏向手段であるプリズム(11)が取り付けられる。
【００１８】
図４に示すように、プリズム(11)は、一角部(11a)が真上を向く断面がほぼ正方形の透明な角柱状の横長のガラス棒材からなるもので、他の対向する２個の角部(11a)が前後に位置し、これらの角部(11a)の直下の部分が、二等辺直角三角形状に切り欠かれて凹入段部(10)が形成されている。この前後部の凹入段部(10)(10)の間の距離は、上述のスリット(９)の前後方向の幅と等しくしてある。
また、プリズム(11)の下部は水平に切り欠かれて、下面(12)を形成している。
【００１９】
図３に示すように、プリズム(11)の左右の側端の少なくとも一方には、その下部に外向きの突出部(13)が設けられている。
プリズム(11)が片方の側端に突出部(13)を有する場合には、突出部(13)を除いたプリズム(11)の全長は、スリット(９)の左右方向の幅に等しくし、プリズム(11)が両方の側端に突出部(13)を有する場合には、一方の突出部(13)を除いたプリズム(11)の全長を、スリット(９)の左右方向の幅に等しくする。
【００２０】
片方の側端に突出部(13)を有するプリズム(11)は、その突出部(13)を、斜め下向きとして、スリット(９)の側端の下方に差し入れながら、前後部の凹入段部(11a)を、スリット(９)の前後の縁に嵌合させることにより、図２に示すように、棚板(３)の上面(5a)に装着される。
【００２１】
両方の側端に突出部(13)を有するプリズム(11)では、同様にしてプリズム(11)を棚板(３)の上面(5a)に装着したのち、プリズム(11)を、他方の側端側へと若干平行移動させる。すると、両側の突出部(13)がスリット(９)の両方の端縁に引っかかって係止される。
【００２２】
プリズム(11)の上部の前面(11b)には、必要に応じて、減光材(14)を、塗布または貼着しておくのが好ましい。
【００２３】
図２に示すように、棚板(３)の前部の下方には、直管型の蛍光灯のような照明灯(15)が、スリット(９)の直下となる位置に、棚板(３)の裏面に取り付けた保持具(16)により保持されている。
【００２４】
照明灯(15)を点灯すると、上方の棚板(３)に取り付けられた照明灯(15)によって、その下方の棚板(５)上の商品(Ａ)が照らされるとともに、下方の棚板(３)の照明灯(15)から上方に照射された光が、プリズム(11)の上半部における傾斜する前面(11b)及び後面(11c)から前上向き及び後上向きに照射される。前面(11b)からの光は、減光材(14)によって弱められるので、顧客が眩しく感ずることはない。後面(11c)からの後ろ向きの光は、棚板(３)上の商品(Ａ)を前下方から照らすので、商品演出効果を大きく向上させる。
【００２５】
図５に示すプリズム(11)の変形例は、上半部が二等辺直角三角形断面形状であるが、下半部は矩形断面形状であり、それらの中間の前後部には、上下方向のスリット(９)と嵌合するようにした水平方向に延びる嵌合溝(17)(17)が形成されている。
この場合、スリット(９)は、一方の側端が、棚板(３)の側端まで突き抜けた形状とし、プリズム(11)は、その嵌合溝(17)をこの棚板(３)の側面からスリット(９)に嵌合させることにより取り付けられる。
【００２６】
図６に示すプリズム(11)の変形例は、その下面(12)が平らではなく、波形状のような非平面形としてある。このような形状とすることにより、上方に向かう光を乱反射させることができる。
【００２７】
なお、プリズム(11)の上部の断面形状を、半円、４分の１円状等とすることもできる。
【００２８】
【発明の効果】
請求項１記載の発明によれば、偏向手段を棚板のスリットに正しく確実に取着することができ、棚板の下面前部に取り付けた照明灯により下方の商品を照らすことができ、商品の陳列演出効果を高めることができる。商品の陳列演出効果を高めることができる。
また、棚板が、板厚が薄い鋼板製のものであっても、それに形成される深さの浅いスリットに、プリズムの凹入段部を嵌合することにより、プリズムの支持が安定し、プリズムがむやみにがたついたり、位置ずれしたりすることはない。
【００２９】
請求項２記載の発明によれば、鋼板製の丈夫で薄型の棚板を形成することができる。
【００３０】
請求項３記載の発明によれば、偏向手段による偏向効果を高めるとともに、偏向手段であるプリズムの上下方向の寸法を制限して、照明灯が棚板の上下方向幅に充分納まるようにすることができる。
【００３１】
請求項４記載の発明によれば、プリズムを、上方に外れることがないように、確実にスリットに取り付けることができるとともに、プリズムの上下方向の寸法を短くすることができる。
【００３２】
請求項５記載の発明によれば、プリズムから上方に向かう光を乱反射させ、照明による演出効果を高めることができる。
【００３３】
請求項６記載の発明によれば、棚板の前上方に向かう光を減じて、顧客の目に眩しさを与えないようにすることができる。
【００３４】
請求項７記載の発明によれば、突出部により、偏向手段の端部がスリットから上方へ外れるのを確実に阻止することができ、偏向手段の棚板への取り付けを確実なものとすることができる。
【図面の簡単な説明】
【図１】本発明の一実施形態を備える商品陳列棚の斜視図である。
【図２】同じく、図１の II−II 線に沿う拡大縦断側面図である。
【図３】同じく、棚板の前部とそこに取り付けられるプリズムとを示す分解斜視図である。
【図４】同じく、プリズムの拡大縦断面図である。
【図５】プリズムの変形例の拡大縦断面図である。
【図６】プリズムの他の変形形の拡大縦断面図である。
【符号の説明】
(Ａ)商品
(１)商品陳列棚
(２)本体
(３)(４)(５)棚板
(5a)上面
(６)背面板
(７)ブラケット
(８)補強材
(９)スリット
(10)凹入段部
(11)プリズム（偏向手段）
(11a)角部
(11b)前面
(11c)後面
(12)下面
(13)突出部
(14)減光材
(15)照明灯
(16)保持具
(17)嵌合部
【図１】
0004077227.tif 000002
【図２】
0004077227.tif 000003
【図３】
0004077227.tif 000004
【図４】
0004077227.tif 000005
【図５】
0004077227.tif 000006
【図６】
0004077227.tif 000007